(57)【要約】      （修正有）【課題】赤外線の発生や効率及び薄型の点で優れ、消灯時は非常灯や誘導灯の微灯機能を持った鑑賞性豊かな照明器具を提供する。【解決手段】ＬＥＤ光源２を用いて、蓄光機能を付加した和紙による立体的造形物の照明カバー１を組み合わせることにより、消灯時の蓄光剤の残光による微灯機能で、非常灯や誘導灯の役割を得る。和紙そのものの持つ配合成分及び厚みと蓄光剤の含有量を変えることで、紫外線波長の域で青色発光と緑色発光をさせることができ、一つのＬＥＤ光源器具で、和紙の透過率と蓄光の発光で蛍光発色の色バランスを変える事ができ、和紙の持つ芸術性・鑑賞性効果を高める。【選択図】図１
2017073372.tif 000002
【特許請求の範囲】
【請求項１】
蓄光機能を有する立体的な造形を持つ和紙を用いた照明カバーとＬＥＤ光源とからなる立体的な造形物からなるカバー照明器具。
【請求項２】
和紙の配合成分と蓄光剤の含浸量を変化させて、ＬＥＤ光源によって微灯効果を高めた発光色を有する請求項１の照明器具。
【請求項３】
前記の造形物の内部にＬＥＤ光源を装着した請求項１の照明器具。
【請求項４】
前記蓄光を有する和紙を折り曲げ加工して動物・植物・創作物等のさまざまな立体的に形成した造形物とし、その内部にＬＥＤ光源を装着した請求項１ないし３の照明器具。
【発明の詳細な説明】
【技術分野】
【０００１】本発明は、ＬＥＤ光源を用い様々な和紙の特性と蓄光発光を活かした造形物の構成及び作製手法に関するものである。
【背景技術】
【０００２】和紙の加工性を利用して、インテリア用の照明器具が用いられる。
（例えば、特許文献１を参照）【０００３】照明器具の光源は従来用いられる白熱灯や蛍光灯に比べて赤外線の発生や効率及び薄型の点で優れているＬＥＤ光源が注目されている。
【先行技術文献】
【特許文献】
【０００４】
【特許文献１】特開平１０−２４７４０８号公報  照明器具の製造方法
【発明の概要】
【発明が解決しようとする課題】
【０００５】本発明は、従来和紙を用いた照明カバーにおいては色彩効果はあるが、発光能力が少なく微灯機能の機能性は無く実用性に乏しく、光源としてＬＥＤ光源を用い、かつ照明カバーとして和紙に蓄光機能を加えることによって単なる照明用としてのみならず消灯時は非常灯や誘導灯の微灯機能を持った鑑賞性豊かな照明器具を提供することを目的とする。【０００６】また、足元灯・手元灯・枕元灯等の微灯があるが、照明器具としての役割で、常時通電のため電力が消費される、および停電時の緊急事態には，電力供給が止まった時点で不点灯となり照明器具として機能せず、微灯機能（非常灯・誘導灯）の代わりには成り得なかった。【０００６】この改善策として、蓄光機能を加えた和紙を鑑賞用として用いたシ―トは既にあるが、発光能力が少なく実用性に乏しく色彩効果はあるが機能性を持った微灯効果は無く、照明用として利用しても消灯時の蓄光剤の残光による微灯機能（非常灯・誘導灯）の役割を得る事ができなかった。【０００７】和紙そのものの持つ配合成分及び厚みと蓄光剤の含有量を変えることで、紫外線波長の域で青色発光と緑色発光をさせることができ、一つのＬＥＤ光源器具で、和紙の透過率と蓄光の発光で蛍光発色の色バランス（青色と緑色）を変える事ができ、和紙の持つ芸術性・鑑賞性及び微灯効果を高める【０００８】本発明は和紙の材質や厚み及び蓄光剤の含浸量の変化で、紫外光の発光と和紙の透過率を変えること等で、元光源色と蓄光色のバランスを変える事ができ、夜間の常夜灯や避難誘導灯として用いることができる。【０００９】本発明に必要な材料の特性は生活環境内で自由な造形物の演出デザインが可能な材料の加工性（切り貼り）・柔軟性（腑形性：折り曲げ加工）・適度な強度・光の透過や拡散の調整の自由度が得られる和紙が最適な材料となる。【００１０】本発明は、様々な和紙の特性・特徴に蓄光機能を付加した造形物にＬＥＤ光源を用いて立体的な造形を表現させる為に、和紙を立体的に造形することができる。
【課題を解決するための手段】
【００１１】本発明に係る照明器具は蓄光剤を含有した和紙を用いた立体的造形物からなるカバーと特定波長を持つＬＥＤ光源とを組み合わせてなることを特徴とするものである。【００１２】蓄光機能を有する和紙を用いた造形物とＬＥＤ光源とからなる照明器具。【００１３】更に、前記の造形物の内部に可視域青色波長を持つＬＥＤ光源を装着することを特徴とする照明器具。【００１４】更に、前記の造形物の内部に紫外線波長４００ｎｍ以下を持つＬＥＤ光源を装着することを特徴とする照明器具。【００１５】更に、前記蓄光を有する和紙を折り紙として動物や植物のさまざまな立体物に造形し、その内部に紫外域及び青色域を持つＬＥＤ光源を装着することを特徴とする。【００１６】特定波長が可能なＬＥＤを基本光源として立体的造形物を用いたカバーを組み合わせることによって照明及び鑑賞性を持った照明器具を、和紙の持つ青領域の光と蓄光の持つ緑色領域を操ることができる。
【発明の効果】
【００１７】本発明のＬＥＤ光源を用いた蓄光機能を有する和紙造形物は、インテリアとしての工芸的な造形物の他にＬＥＤ光源での照明灯用として、ＬＥＤ光源と蓄光剤を含んだ和紙の照明器具は日中の太陽光と一定波長を有するＬＥＤ光源にて蓄光が行え、長時間の発光を有する伝統技術と近代技術が融合した照明器具としての展開が図れる。【００１８】本発明の和紙にて日本の伝統的な照明手法を最新技術であるＬＥＤ光源と蓄光機能を合わせもつことで、単なる照明器具ではなく非常灯・足元灯・表示灯・案内板機能及び鑑賞性を合わせ持つものである。【００１９】本発明は和紙の材質や厚み及び蓄光剤の含浸量の変化で、紫外光の発光と和紙の透過率を変えること等で、元光源色と蓄光色のバランスを変える事ができる物である。
【図面の簡単な説明】
【００２０】
【図１】図１は本発明に係わる照明器具を示す斜視図である。
【図２】図２は折り曲げ加工した照明用カバーを用いた照明器具の斜視図である。
【図３】図３はＬＥＤ光源を示す斜視図である。  ▲１▼砲弾型ＬＥＤ  ▲２▼角型ＬＥＤ
【図４】図４は電源ボックスを示す斜視図である。
【図５】図５は電気回路を示す図面である。
【図６】図６は他の実施例を示す斜視図である。  参考例▲１▼：提灯  参考例▲２▼：行灯
【発明を実施するための形態】
【００２１】蓄光機能を有する立体的な造形を持つ和紙を用いた照明カバーとＬＥＤ光源とからなる立体的な造形物からなるカバー照明器具。
【００２２】本発明に必要な材料の特性は生活環境内で自由な造形物の演出デザインが可能な材料の加工性（切り貼り）・柔軟性（腑形性：折り曲げ加工）・適度な強度・光の透過や拡散の調整の自由度が重要は要素となり、照明用カバーとし和紙が最適な材料となる。
【００２３】本発明は、様々な無機材料・樹脂材料・和紙材料・樹脂＋和紙複合材等の特性・特徴を調査した結果、和紙の持つ加工性（切り貼り）・柔軟性（腑形性：折り曲げ加工）・適度な強度・光の透過や拡散の調整の自由度、そして蓄光機能を持たせることで、和紙のその特性・特徴が最大限に発揮できる材料と評価された。
【００２４】本発明は和紙の配合成分と蓄光剤の含浸量を変化させて、和紙の透過率変化と蓄光剤の蛍光発色の色バランス（青色と緑色）を変えるものである。
【００２５】様々な和紙（美濃和紙・細川和紙・石州半紙等）を立体的な造形物をデザイン通りに作製させるために、事前にモデル型（木型・樹脂型及び金属型）を作製して、下地の形状を作製することで造形物パーツとして形状を作製するのが一般的であるが、本発明はモデル型を使用しない折り曲げ加工やフレームへの切り貼りにて造形するものである。
【産業上の利用可能性】本発明品はＬＥＤ照明と伝統手法に基づき作製された和紙に近年の印刷技術にて蓄光剤を塗布されたハイブリッドな材料にて立体的で芸術的な造形物の他、蓄光機能が持つ光の保持力とＬＥＤ光源の特徴を組み合わせ安全性と表示機能を合わせ持ち照明器具及び非常灯としの利用性も兼ね備えている。
特に、夜間の標識や非常口・避難路・階段・廊下等を持つ病院・老人ホームや介護施設などの特定場所の他に一般家庭での緊急時の非常灯機能は施設環境を損なわずに鑑賞性の高いライトである。
【図１】
2017073372.tif 000003
【図２】
2017073372.tif 000004
【図３】
2017073372.tif 000005
【図４】
2017073372.tif 000006
【図５】
2017073372.tif 000007
【図６】
2017073372.tif 000008